(57)【要約】【課題】簡単に開閉できる操作性の良い容器蓋を提供する。【解決手段】  開口首部１２１の内側に突設された内側フランジ１２２を有する容器１２の開口首部１２１に装着され、内側フランジ１２２に当接して開口首部１２１を閉塞する閉塞部１３と、閉塞部１３を貫通する取出し管１４と、取出し管１４の上端部外周面に嵌装され、上下方向に摺動可能な摺動部１５１と摺動部１５１から側方方向に連通する取出口１５２とを有する操作部１５と、操作部１５を囲むように形成された筒状のキャップ１６と、操作部１５が押下されると取出口１５２がキャップ１６の中に保持されるとともに、再度操作部１５が押下されると取出口１５２がキャップ１６の外に飛び出すオルタネイト動作機構１７と、を備え、取出口１５２がキャップ１６の中に保持されているときには、取出口１５２が摺動部１５１に接続する開口部１５３が取出し管１４の上端部外周面によって閉塞される構成とした。【選択図】  図１
2018058649.tif 000002
【特許請求の範囲】
【請求項１】
容器の開口首部に装着される容器蓋であって、
前記開口首部を閉塞する閉塞部と、
前記閉塞部を貫通するように設けられ前記容器上方の外側空間と前記容器内部とを連通させる取出し管と、
前記取出し管の上端部外周面に嵌装され上下方向に摺動可能な摺動部と前記摺動部から側方方向に連通して内容物を取出す取出口とを有する操作部と、
前記操作部を囲むように形成された筒状のキャップと、
前記操作部が所定距離押下されると前記取出口が前記キャップの中に保持されるとともに、再度前記操作部が所定距離押下されると前記保持が解除され、前記取出口が前記キャップの外に飛び出すオルタネイト動作機構と、を備え、
前記取出口が前記キャップの中に保持されているときには、前記取出口が前記摺動部に接続する開口部が前記取出し管の上端部外周面によって閉塞されるようになっていることを特徴とする容器蓋。
【請求項２】
開口首部の径方向内側に環状に突設された内側フランジを有する容器の前記開口首部に装着される容器蓋であって、
前記内側フランジに当接して前記開口首部を閉塞する閉塞部と、
前記閉塞部を貫通するように設けられ前記容器上方の外側空間と前記容器内部とを連通させる取出し管と、
前記取出し管の上端部外周面に嵌装され上下方向に摺動可能な摺動部と前記摺動部から側方方向に連通して内容物を取出す取出口とを有する操作部と、
前記操作部を囲むように形成された筒状のキャップと、
前記操作部が所定距離押下されると前記取出口が前記キャップの中に保持されるとともに、再度前記操作部が所定距離押下されると前記保持が解除され、前記取出口が前記キャップの外に飛び出すオルタネイト動作機構と、を備え、
前記取出口が前記キャップの中に保持されているときには、前記取出口が前記摺動部に接続する開口部が前記取出し管の上端部外周面によって閉塞されるようになっていることを特徴とする容器蓋。
【請求項３】
前記摺動部内上部に設けられ、前記取出口が前記キャップの外に飛び出したときには前記取出し管の上端を開放するとともに、前記取出口が前記キャップの中に保持されたときには前記取出し管の上端を閉鎖する閉鎖手段であって、下面が取出し管の上端と相対する形状の閉鎖部材と前記閉鎖部材を下方に向けて付勢する付勢手段とを有する閉鎖手段をさらに備えたことを特徴とする請求項１又は請求項２に記載の容器蓋。
【請求項４】
前記取出し管は、下端が前記容器内部の底部から所定の距離離間した位置まで延びていることを特徴とする請求項１〜請求項３のいずれかに記載の容器蓋。
【請求項５】
前記閉塞部の下面に上端が接続され、内部に貯留室を形成する有底筒状の仕切り壁と、
前記仕切り壁の上端部に設けられ、前記容器の内部における前記貯留室の内外を連通させる連通孔と、をさらに備え、
前記取出し管は、下端が前記仕切り壁の底部から所定の距離離間した位置に配置されていることを特徴とする請求項１〜請求項３のいずれかに記載の容器蓋。
【請求項６】
前記オルタネイト動作機構は、
前記キャップの内側に向かって凸状に形成され、水平方向略直線状又は円周状に第１の方向と第１の方向とは反対方向の第２の方向にのみ移動自在に前記キャップに支持されたカム部と、
前記操作部に設けられ、前記カム部が収まった時に前記カム部に下側から当接し前記取出口が前記キャップの中に保持される保持部と、
前記操作部に設けられ、前記取出口が前記キャップの外に飛び出した状態のときに、前記カム部を所定の基準位置に誘導する第１の規制部と、
前記操作部に設けられ、前記取出口が前記キャップの外に飛び出した状態から前記操作部を押下したときに、前記カム部を前記基準位置から遠ざける前記第１の方向に移動させる第２の規制部と、
前記操作部に設けられ、前記操作部をさらに押下したときに前記カム部を前記保持部に近づける前記第２の方向に移動させる第３の規制部と、
前記操作部に設けられ、前記操作部を最下位置まで押下した後開放したときに前記カム部をさらに前記保持部に近づける前記第２の方向に移動させる第４の規制部と、
前記第４の規制部の端部に設けられて前記カム部の移動を制止させるとともに、前記第４の規制部と一緒になって前記保持部を形成する制止部と、
前記操作部に設けられ、再度前記操作部を最下位置まで押下したときに前記カム部を前記保持部から遠ざける前記第２の方向に移動させる第５の規制部と、
を備えたことを特徴とする請求項１〜請求項３のいずれかに記載の容器蓋。
【発明の詳細な説明】
【技術分野】
【０００１】
本発明は、容器蓋、詳しくは傾動させて内容物を取出す容器の開閉蓋に関する。
【背景技術】
【０００２】
この種の容器蓋として、容器蓋本体の抽出口にヒンジ蓋の嵌合部を樹脂の弾性を利用して嵌め込むものが知られている（例えば特許文献１）。これによれば、簡単な構造で抽出口を開閉することができる。
【先行技術文献】
【特許文献】
【０００３】
【特許文献１】特開２００４−１２３１４３号公報
【発明の概要】
【発明が解決しようとする課題】
【０００４】
しかしながら、このような容器蓋では、ヒンジ蓋を開けるときに爪で引っ掛けるなどして下から上に持ち上げなければならず、操作性がいいとはいえなかった。
【０００５】
本発明は、上述した課題を解決するためになされたものであり、その目的は、簡単に開閉できる操作性の良い容器蓋を提供することにある。
【課題を解決するための手段】
【０００６】
本発明は、以下の適用例として実現することが可能である。なお、本欄における括弧内の参照符号や補足説明等は、本発明の理解を助けるために、後述する実施形態との対応関係を示したものであって、本発明を何ら限定するものではない。
【０００７】
[適用例１]
本発明に係る容器蓋は、容器（２２）の開口首部（２２１）に装着される容器蓋（２、３）であって、
前記開口首部（２２１）を閉塞する閉塞部（２３、３３）と、
前記閉塞部（２３、３３）を貫通するように設けられ前記容器（２２）上方の外側空間と前記容器（２２）内部とを連通させる取出し管（１４）と、
前記取出し管（１４）の上端部外周面に嵌装され上下方向に摺動可能な摺動部（１５１）と前記摺動部（１５１）から側方方向に連通して内容物を取出す取出口（１５２）とを有する操作部（１５）と、
前記操作部（１５）を囲むように形成された筒状のキャップ（１６、３６）と、
前記操作部（１５）が所定距離押下されると前記取出口（１５２）が前記キャップ（１６、３６）の中に保持されるとともに、再度前記操作部（１５）が所定距離押下されると前記保持が解除され、前記取出口（１５２）が前記キャップ（１６、３６）の外に飛び出すオルタネイト動作機構（１７）と、を備え、
前記取出口（１５２）が前記キャップ（１６）の中に保持されているときには、前記取出口（１５２）が前記摺動部（１５１）に接続する開口部（１５３）が前記取出し管（１４）の上端部外周面によって閉塞されるようになっていることを要旨とする。
【０００８】
［適用例２］
また、本発明に係る容器蓋は、開口首部（１２１）の径方向内側に環状に突設された内側フランジ（１２２）を有する容器（１２）の前記開口首部（１２１）に装着される容器蓋（１）であって、
前記内側フランジ（１２２）に当接して前記開口首部（１２１）を閉塞する閉塞部（１３）と、
前記閉塞部（１３）を貫通するように設けられ前記容器（１２）上方の外側空間と前記容器（１２）内部とを連通させる取出し管（１４）と、
前記取出し管（１４）の上端部外周面に嵌装され上下方向に摺動可能な摺動部（１５１）と前記摺動部（１５１）から側方方向に連通して内容物を取出す取出口（１５２）とを有する操作部（１５）と、
前記操作部（１５）を囲むように形成された筒状のキャップ（１６）と、
前記操作部（１５）が所定距離押下されると前記取出口（１５２）が前記キャップ（１６）の中に保持されるとともに、再度前記操作部（１５）が所定距離押下されると前記保持が解除され、前記取出口（１５２）が前記キャップ（１６）の外に飛び出すオルタネイト動作機構（１７）と、を備え、
前記取出口（１５２）が前記キャップ（１６）の中に保持されているときには、前記取出口（１５２）が前記摺動部（１５１）に接続する開口部（１５３）が前記取出し管（１４）の上端部外周面によって閉塞されるようになっていることを要旨とする。
【０００９】
［適用例３］
また、本発明に係る容器蓋は、適用例１又は適用例２の容器蓋において、前記摺動部（１５１）内上部に設けられ、前記取出口（１５２）が前記キャップ（１６）の外に飛び出したときには前記取出し管（１４）の上端を開放するとともに、前記取出口（１５２）が前記キャップ（１６）の中に保持されたときには前記取出し管（１４）の上端を閉鎖する閉鎖手段（１８）であって、下面が取出し管（１４）の上端と相対する形状の閉鎖部材（１８１）と前記閉鎖部材（１８１）を下方に向けて付勢する付勢手段（１８２）とを有する閉鎖手段（１８）をさらに備えたことを要旨とする。
【００１０】
［適用例４］
また、本発明に係る容器蓋（４）は、適用例１〜適用例３の容器蓋のいずれかにおいて、前記取出し管（４４）は、下端が前記容器（１２）内部の底部から所定の距離離間した位置まで延びていることを要旨とする。
【００１１】
［適用例５］
また、本発明に係る容器蓋（５）は、適用例１〜適用例３の容器蓋のいずれかにおいて、前記閉塞部（１３）の下面に上端が接続され、内部に貯留室（５９０）を形成する有底筒状の仕切り壁（５９１）と、
前記仕切り壁（５９１）の上端部に設けられ、前記容器（１２）の内部における前記貯留室（５９０）の内外を連通させる連通孔（５９２）と、をさらに備え、
前記取出し管（５４）は、下端が前記仕切り壁（５９１）の底部から所定の距離離間した位置に配置されていることを要旨とする。
【００１２】
［適用例６]
また、本発明に係る容器蓋（６）は、適用例１〜適用例３の容器蓋のいずれかにおいて、前記オルタネイト動作機構（６７）は、
前記キャップ（６６）の内側に向かって凸状に形成され、水平方向略直線状又は円周状に第１の方向と第１の方向とは反対方向の第２の方向にのみ移動自在に前記キャップ（６６）に支持されたカム部（６７１）と、
前記操作部（６５）に設けられ、前記カム部（６７１）が収まった時に前記カム部（６７１）に下側から当接し前記取出口（６５２）が前記キャップ（６６）の中に保持される保持部（６７２）と、
前記操作部（６５）に設けられ、前記取出口（６５２）が前記キャップ（６６）の外に飛び出した状態のときに、前記カム部（６７１）を所定の基準位置に誘導する第１の規制部（６７３）と、
前記操作部（６５）に設けられ、前記取出口（６５２）が前記キャップ（６６）の外に飛び出した状態から前記操作部（６５）を押下したときに、前記カム部（６７１）を前記基準位置から遠ざける前記第１の方向に移動させる第２の規制部（６７４）と、
前記操作部（６５）に設けられ、前記操作部（６５）をさらに押下したときに前記カム部（６７１）を前記保持部（６７２）に近づける前記第２の方向に移動させる第３の規制部（６７５）と、
前記操作部（６５）に設けられ、前記操作部（６５）を最下位置まで押下した後開放したときに前記カム部（６７１）をさらに前記保持部（６７２）に近づける前記第２の方向に移動させる第４の規制部（６７６）と、
前記第４の規制部（６７６）の端部に設けられて前記カム部（６７１）の移動を制止させるとともに、前記第４の規制部（６７６）と一緒になって前記保持部（６７２）を形成する制止部（６７７）と、
前記操作部（６５）に設けられ、再度前記操作部（６５）を最下位置まで押下したときに前記カム部（６７１）を前記保持部（６７２）から遠ざける前記第２の方向に移動させる第５の規制部（６７８）と、を備えたことを要旨とする。
【発明の効果】
【００１３】
このような構成とすることにより、上から操作部を押すだけで簡単に蓋の開閉ができる。例えば、容器をテーブルに置いたまま片手で蓋を開け閉めするというようなことも可能になる。すなわち、本発明によれば、簡単に開閉できる操作性のよい容器蓋を提供することができる。
【図面の簡単な説明】
【００１４】
【図１】容器蓋１の縦断側面図（閉鎖時）である。
【図２】容器蓋１の縦断側面図（開放時）である。
【図３】オルタネイト動作機構１７を説明するための説明図である。
【図４】Ａ−Ａ断面図である（付勢手段は省略）。
【図５】Ｂ−Ｂ断面図である。
【図６】容器蓋２の縦断側面図（閉鎖時）である。
【図７】容器蓋３の縦断側面図（閉鎖時）である。
【図８】容器蓋４の縦断側面図（閉鎖時）である。
【図９】容器蓋５の縦断側面図（閉鎖時）である。
【図１０】容器蓋１Ａ（容器蓋１の変形例）の縦断側面図（開放時）である。
【図１１】容器蓋６の縦断側面図（閉鎖時）である。
【図１２】オルタネイト動作機構６７を模式的に表した説明図である。
【図１３】オルタネイト動作機構６７を模式的に表した説明図である。
【図１４】オルタネイト動作機構６７を模式的に表した説明図である。
【図１５】オルタネイト動作機構６７を模式的に表した説明図である。
【図１６】オルタネイト動作機構６７を模式的に表した説明図である。
【図１７】操作部６５に設けられた規制部の一例を表した説明図である。
【発明を実施するための形態】
【００１５】
（実施形態１）
以下、適宜図面を参照しつつ、本発明の実施形態としての容器蓋１について説明する。
［容器蓋１の構成］
図１〜図５を用いて、まず、容器蓋１の構成について説明する。図１は、本実施形態の容器蓋１の閉鎖時の縦断側面図である（容器部分は、端面図）。図２は、容器蓋１の開放時の縦断側面図である（容器部分は、端面図）。図３は、オルタネイト動作機構を説明するための説明図である。図４は、図２に示すＡ−Ａの断面図である。図５は、図２に示すＢ−Ｂの断面図である。
【００１６】
図１に示すように、容器蓋１は、容器１２の開口首部１２１に装着される。容器１２は、開口首部１２１の径方向内側に環状に突設された内側フランジ１２２を有している。
【００１７】
容器蓋１は、主に閉塞部１３、取出し管１４、操作部１５、キャップ１６、オルタネイト動作機構１７で構成される。
【００１８】
閉塞部１３は、内側フランジ１２２に当接して開口首部１２１を閉塞するものである。本実施形態では、円板形状であるが、開口首部１２１を閉塞できれば形状は問わない。
【００１９】
取出し管１４は、閉塞部１３を貫通するように設けられ、容器１２上方の外側空間と容器１２内部とを連通させている。本実施形態では、取出し管１４の下端と閉塞部１３の下面とが一致するようになっているが、取出し管１４の下端が閉塞部１３の下面より突き出していてもよい。
【００２０】
操作部１５は、主に摺動部１５１、取出し口１５２で構成される。摺動部１５１は、内周面の直径が取出し管１４の外周面とほぼ同じの円筒状で、取出し管１４の上端部外周面に嵌装され、上下方向に摺動可能となっている。
【００２１】
摺動部１５１には、内側面に開口部１５３が設けられており、開口部１５３から取出口１５２が延設されている。すなわち、取出口１５２は、摺動部１５１から側方方向に連通して内容物を取出せるようになっている。
【００２２】
また、摺動部１５１の上部には、円盤状の押下部１５４が設けられている。なお、本実施形態では取出口１５２の形状は、長円筒状であるが、例えば円筒状や長方形筒状とするなど内容物を取出すことができればどのような形状でもよい。
【００２３】
筒状のキャップ１６は、円筒状で、操作部１５を囲むように形成されている。キャップ１６の下端部は、容器１２の開口首部１２１に嵌合するようになっている。キャップ１６と閉塞部１３とは、相対的に固定されている。本実施形態では、一体成型されている。
【００２４】
オルタネイト動作機構１７は、操作部１５が所定距離押下されると取出口１５２がキャップ１６の中に保持されるとともに、再度前記操作部１５が所定距離押下されると保持が解除され、取出口１５２がキャップ１６の外に飛び出すノック機構である。このノック機構は、ノック式ボールペンでよく知られるカーン式ノック機構と同等の構成をなすものである。
【００２５】
オルタネイト動作機構１７について、簡単に説明する。
図３に示すように、オルタネイト動作機構１７は、主にカム筒１７１、回転子１７２、摺動部１５１、リターンスプリング１７３で構成される。
【００２６】
カム筒１７１は筒体で、キャップ１６に相対的に固定されている。本実施形態では、一体成型されている。カム筒１７１の内壁には、リブ１７１ａとカム溝１７１ｂが放射状に交互に形成されている。本実施形態では、図５に示すように、カム溝１７１ｂは、溝の中心が９０度毎になるように４つ形成されているが、等角になるように６つ或いは８つのように偶数個形成されていてもよい。
【００２７】
図３に示すように、それぞれのリブ１７１ａの下端には、長い傾斜面と短い傾斜面が連続するカム部１７１ｃが形成されている。
【００２８】
図１に示すように、リブ１７１ａの上部は、カム筒１７１から突き出して、リブ１７１ａだけが立ち上がるような形になっている。このため、図５に示すように、カム筒１７１から突き出した部分は、円筒が４分割されて立ち上がったようになっている。また、操作部５が下降したときにリブ１７１ａに取出口１５２が干渉しないよう、その部分のリブ１７１ａはカットされたようになっている。
【００２９】
図５に示すように、それぞれのリブ１７１ａの上端部内側面には、上向きのクサビ形に形成されたラッチ爪１７１ｄが突設されている。
【００３０】
図３に示すように、回転子１７２は略円筒形状で、外周の所要箇所にはカム筒１７１のカム溝１７１ｂの割り付け位置に対応するリブ１７２ａとそのリブ１７２ａの上端に傾斜状のカム部１７２ｂが形成されている。
【００３１】
図３に示すように、摺動部１５１の下部外周の所要箇所には、カム筒１７１のカム溝１７１ｂの割り付け位置に対応するリブ１５１ａが形成されている。摺動部１５１の直径は、リブ１５１ａの下端から下は段付きで細くなっており、この段付きの部分に連続山形状のカム部１５１ｃが形成されている。
【００３２】
摺動部１５１の細くなっている部分には、回転子１７２がカム部１７２ｂを上向きに回転可能に嵌装され、図１に示すように、摺動部１５１から脱落しないように係止されている。
【００３３】
図３に示すように、摺動部１５１の下端部外側面には、ラッチ爪１７１ｄに対応するように、下向きのクサビ形に形成されたラッチ爪１５１ｄが突設されている。操作部１５の上昇位置では、ラッチ爪１５１ｄの上面とラッチ爪１７１ｄの下面が当接し、操作部１５がそれ以上上昇しないようになっている。
【００３４】
図１に示すように、リターンスプリング１７３は、下端を閉塞部１３の上面に当接した状態で取出し管１４の外側に嵌挿され、リターンスプリング１７３の上端は回転子１７２の下端に当接している。なお、リターンスプリング１７３の巻き方向は、特に限定されないが、平面視左巻き（回転子１７２の回転方向と逆巻き）が望ましい。リターンスプリング１７３を形成する線材の端面の周縁が回転子１７２に食い込んで回転子１７２の回転を妨げるのを防ぐためである。
【００３５】
図３に示すように、回転子１７２と摺動部１５１はカム筒１７１の内側に挿入され、回転子１７２のリブ１７２ａと摺動部１５１のリブ１５１ａはカム溝１７１ｂに嵌装されている。
【００３６】
回転子１７２の上昇位置で、カム部１７２ｂの頂部は、摺動部１５１のカム部１５１ｃの山形状の頂部から僅かにずれた斜部に当接している。このため、摺動部１５１を押下し、回転子１７２のリブ１７２ａがカム溝１７１ｂから外れると、カム部１７２ｂの頂部は摺動部１５１のカム部１５１ｃの谷部に向かおうとする。これによって、回転子１７２が平面視右方向に僅かに回転する。
【００３７】
その状態で摺動部１５１の押下を解除すると、カム部１７２ｂの頂部は、リターンスプリング１７３の付勢力によって、カム筒１７１のカム部１７１ｃの長い傾斜面を滑りながら上昇し、カム部１７１ｃの長い傾斜面の端部に位置決めされる。すなわち、回転子１７２は平面視右方向に回転しながら僅かに上昇し、下降位置に保持される。また、回転子１７２を係止している摺動部１５１も下降位置に保持される。
【００３８】
ここで、再度摺動部１５１を押下すると、回転子１７２のカム部１７２ｂの頂部は、摺動部１５１のカム部１５１ｃの山形状の頂部から僅かにずれた斜部に当接する。
【００３９】
このため、さらに摺動部１５１を押下し、カム部１７２ｂの頂部が、カム筒１７１のカム部１７１ｃの長い傾斜面の位置決め位置から外れると、カム部１７２ｂの頂部は摺動部１５１のカム部１５１ｃの谷部に向かおうとする。
【００４０】
これによって、回転子１７２が平面視右方向に僅かに回転する。その状態で摺動部１５１の押下を解除すると、カム部１７２ｂの頂部はリターンスプリング１７３の付勢力によって、カム筒１７１のカム部１７１ｃの短い傾斜面を滑りながら（平面視右方向に回転しながら）上昇し、カム溝１７１ｂに進入して、さらに上昇位置（ラッチ爪１５１ｄの上面とラッチ爪１７１ｄの下面が当接する位置）まで上昇する。すなわち、回転子１７２は平面視右方向に回転しながら僅かに上昇し、その後回転を停止し、上昇位置まで上昇する。また、回転子１７２の上昇に伴って、摺動部１５１も押し上げられ上昇位置まで上昇する。
【００４１】
なお、本実施形態では、オルタネイト動作機構１７の構成を上記のものとしたが、操作部１５が所定距離押下されると取出口１５２がキャップ１６の中に保持されるとともに、再度前記操作部５が所定距離押下されると保持が解除され、取出口１５２がキャップ１６の外に飛び出すノック機構であれば、これに限らないのはもちろんである。
【００４２】
また、図１に示すように、取出口１５２がキャップ６の中に保持されるときには、取出口１５２が摺動部１５１に接続する開口部１５３が取出し管１４の上端部外周面によって閉塞されるようになっており、これによって内容物の吐出が阻止されるようになっている。
【００４３】
また、摺動部１５１内上部には、閉鎖手段１８が設けられている。閉鎖手段１８は、閉鎖部材１８１とスプリングバネ１８２（付勢手段）とで構成される。閉鎖部材１８１は、下面が取出し管１４の上端と相対する形状となっている。
【００４４】
また、図４に示すように、閉鎖部材１８１の直径方向外側には、突起１８１ｅが２つ設けられている。また、この突起に対応するように摺動部１５１内側には、溝１５１ｅが２つ設けられている。
【００４５】
溝１５１ｅは、摺動部１５１の内壁面最上部付近から開口部１５３付近まで設けられている。これにより、閉鎖部材１８１が開口部１５３の上端部よりも下降しないようになっている。なお、本実施形態では、このような構成としたが、スプリングバネ１８２の長さにより、閉鎖部材１８１が開口部１５３の上端部よりも下降しないようにしてもよい。
【００４６】
スプリングバネ１８２は、閉鎖部材１８１を下方に向けて付勢する。そして、図２に示すように、閉鎖手段１８は、取出口１５２がキャップ１６の外に飛び出したときには、取出し管１４の上端を開放するとともに、図１に示すように、操作部１５がキャップ１６の中に保持されたときには、取出し管１４の上端を閉鎖するようになっている。
【００４７】
なお、本実施形態では、取出し管１４の上端が水平となっており、閉鎖部材１８１は円盤状になっているが、例えば、取出口１５２がキャップ１６の中に保持されているときに、取出口１５２側の取出し管１４の上端を開口部１５３の上端付近となるようにし、反対側を低くするように斜めにし、これに合わせて閉鎖部材１８１の形状を相対する形状に変更してもよい。
【００４８】
なお、本実施形態では内容物は、胡椒、砂糖、塩などの調味料、洗剤、薬品などの粉状又は粒状の物質が好適であるが、液状の物質を排除するものではない。また、容器蓋１を構成する部品の材料は、ポリエチレンやポリプロピレンなどの樹脂である。なお、樹脂材料の種類は、容器の材料、あるいは内容物の種類などの条件によって決定される。
【００４９】
（実施形態２）
次に、本発明の第二の実施形態としての容器蓋２について説明する。なお、容器蓋１と同様の構成及び機能については、詳細な説明を省略する。
［容器蓋２の構成］
図６を用いて、容器蓋２の構成について説明する。図６は、容器蓋２の縦断側面図である（容器部分は端面図）。
【００５０】
容器蓋２は、容器２２の開口首部２２１に装着される。容器２２は、容器１２と異なり、開口首部２２１の径方向内側に環状に突設された内側フランジを有していない。
【００５１】
閉塞部２３は、有底円筒状であり、上端部に鍔２３ａが設けられている。鍔２３ａは、キャップ１６の内側に接続されると共に、開口首部２２１の上端に当接して開口首部２２１を閉塞する。
【００５２】
容器蓋２は、内容物を出し切ることができず、内容物が僅かに内部に残ってしまうが、それ以外は、容器蓋１と同様の効果を奏する。
【００５３】
（実施形態３）
次に、本発明の第三の実施形態としての容器蓋３について説明する。なお、容器蓋１又は容器蓋２と同様の構成及び機能については、詳細な説明を省略する。
［容器蓋３の構成］
図７を用いて、容器蓋３の構成について説明する。図７は、容器蓋３の縦断側面図である（容器部分は端面図）。
【００５４】
容器蓋３は、容器２２の開口首部２２１に装着される。
閉塞部３３は、円盤形状であり、開口首部２２１の上端に当接して開口首部２２１を閉塞する。
【００５５】
キャップ３６は、キャップ１６と同様の構成であるが、高さ方向の長さが長くなっている。閉塞部３３の周面は、キャップ３６の内側に接続されている。本実施形態では、一体成型されている。
【００５６】
容器蓋３は、容器蓋１と比較して、背が高くなってしまうが、それ以外は、容器蓋１と同様の効果を奏する。
【００５７】
（実施形態４）
次に、本発明の第四の実施形態としての容器蓋４について説明する。なお、容器蓋１と同様の構成及び機能については、詳細な説明を省略する。
［容器蓋４の構成］
図８を用いて、容器蓋４の構成について説明する。図８は、容器蓋４縦断側面図である（容器部分は端面図）。
【００５８】
容器蓋４は、容器蓋１とほぼ同様の構成であるが、取出し管４４が容器１２内部の底部から所定の距離離間した位置まで延びている。
これにより、一定量の内容物を吐出できる。
【００５９】
（実施形態５）
次に、本発明の第五の実施形態としての容器蓋５について説明する。なお、容器蓋１と同様の構成及び機能については、詳細な説明を省略する。
［容器蓋５の構成］
図９を用いて、容器蓋５の構成について説明する。図９は、容器蓋５の縦断側面図である（容器部分は、端面図）。
【００６０】
容器蓋５は、容器蓋１とほぼ同様の構成であるが、上端が閉塞部１３の下面に接続され、内部に貯留室５９０を形成する有底筒状の仕切り壁５９１と、仕切り壁５９１の上端部に設けられ、容器１２の内部における貯留室５９０の内外を連通させる連通孔５９２とを備えている。
【００６１】
また、取出し管５４の下端は、仕切り壁５９１の底部から所定の距離離間した位置に配置されている。
【００６２】
［容器蓋５の機能の説明］
容器１２を倒立状態に近くなるまで傾けると、連通孔５９２を通して、貯留室５９０に内容物が供給される。
【００６３】
次に容器１２を正立状態とすると、内容物が貯留室５９０の底部に蓄積する。次に取出口１５２がキャップ１６から飛び出した状態にして、容器１２を倒立状態に近くなるまで傾けると、貯留室５９０の底部と取出し管５４の下端との間にある内容物が吐出される。以下、これを繰り返すことにより、定量の内容物を吐出させることができる。実施形態４の容器蓋４と比較して、少量で定量の内容物を吐出させることができる。
【００６４】
本実施形態では、仕切り壁５９１の底部は平坦であるが、中央部が低くなるようにしてもよい。少量でもより正確に定量の内容物を吐出させることができる。
【００６５】
また、本実施形態では、連通孔５９２は、略正方形で平面視四方に設けられているが、連通孔５９２は、取出口１５２の向いている方向を避けて設けてもよい。倒立状態に近くなるまで傾けた後、ゆっくり正立状態にした場合でも、確実に内容物を貯留室５９０に蓄積させることができる。
【００６６】
また、本実施形態では、取出し管５４は直管であるが、中間部から取出口１５２の向いている方向と同じ方向に湾曲させてもよい。正立状態からゆっくり傾けていった場合でも、定量の内容物を吐出させることができる。
【００６７】
また、本実施形態では、仕切り壁５９１は、容器蓋５の一部として形成されているが、容器１２の一部となるように形成することもできる。
【００６８】
（実施形態６）
次に、本発明の第六の実施形態としての容器蓋６について説明する。容器蓋６が容器蓋３と異なるのは、主にオルタネイト動作機構に関する点である。なお、容器蓋１、容器蓋２又は容器蓋３と同様の構成及び機能については、詳細な説明を省略する。
［容器蓋６の構成］
図１１を用いて、容器蓋６の構成について説明する。図１１は、容器蓋６の縦断側面図である（容器部分は端面図）。
【００６９】
図１１に示すように、容器蓋６は、容器２２の開口首部２２１に装着される。
閉塞部６３は、円盤形状であり、開口首部２２１の上端に当接して開口首部２２１を閉塞する。
【００７０】
容器蓋６は、主に閉塞部６３、取出し管１４、操作部６５、キャップ６６、オルタネイト動作機構６７で構成される。
【００７１】
オルタネイト動作機構６７は、操作部６５が所定距離押下されると取出口６５２がキャップ６６の中に保持されるとともに、再度前記操作部６５が所定距離押下されると保持が解除され、取出口６５２がキャップ６６の外に飛び出すノック機構である。
【００７２】
オルタネイト動作機構６７について、図１１〜図１６を用いて説明する。図１２〜図１６は、オルタネイト動作機構６７を模式的に表した説明図である。
図１１及び図１２に示すように、オルタネイト動作機構６７は、主にカム部６７１、保持部６７２、第１の規制部６７３、第２の規制部６７４、第３の規制部６７５、第４の規制部６７６、制止部６７７、第５の規制部６７８、リターンスプリング１７３で構成される。
【００７３】
図１１及び図１２（ａ）に示すように、カム部６７１は、キャップ６６の内側に向かって凸状に形成され、水平方向円周状に第１の方向（本実施形態では平面視左回転方向）と第１の方向とは反対方向の第２の方向（本実施形態では平面視右回転方向）にのみ移動自在にキャップ６６に支持されている。なお、本実施形態では、円周状に移動自在としたが、略直線状としてもよい。
【００７４】
凸状部分の形状は、長円（角丸長方形）柱状で、キャップ６６の内側に向かって見たときに、中心軸が垂直方向から右に４５°〜６０°程度傾いている。これにより、カム部６７１の強度を上げるためにカム部６７１を大きくしても、規制部（６７３〜６７６、６７８）の大きさ及び間隔を小さくすることができ、オルタネイト動作機構６７をコンパクトにすることができる。なお、本実施形態では、このような形状としたが、これに限らず例えば円柱状としてもよい。
【００７５】
図１２（ａ）に示すように、第１の規制部６７３は、操作部６５に設けられ、漏斗のような形状をしており、取出口６５２がキャップ６６の外に飛び出した状態のときに、カム部６７１を所定の基準位置に誘導するものである。
これにより、操作部６５が最上位置（取出口６５２がキャップ６６の外に飛び出した状態）のときには、カム部６７１は、基準位置にある。
このとき、操作部６５は最上位置であり、それ以上上昇しないようになっている。この制止の方法は、第１の規制部６７３の下部にストッパを設け、ストッパの上面がカム部６７１に当接して上昇を制止させてもいいし、操作部６５の一部がキャップ部６６の一部に当接してそれ以上上昇しないようにするなどいずれの方法を用いてもよい。本実施形態では、図示しないが、操作部６５の一部がキャップ部６６の一部に当接してそれ以上上昇しないようになっている。
【００７６】
図１２（ｂ）に示すように、第２の規制部６７４は、操作部６５に設けられ、図中右上がりの傾斜面であり、操作部６５を最上位置（取出口６５２がキャップの外に飛び出した状態）から押下したときに、下面がカム部６７１に当接し、カム部６７１を基準位置から遠ざける第１の方向（図中右方向）に傾斜面を滑らせながら移動させる。
【００７７】
図１３（ａ）に示すように、第３の規制部６７５は、操作部６５に設けられ、図中左上がりの傾斜面であり、操作部６５をさらに押下したときに、下面がカム部６７１に当接し、カム部６７１を保持部６７２に近づける第２の方向（図中左方向）に移動させる。
図１３（ｂ）に示すように、カム部６７１が、第３の規制部６７５の図中左端部まで移動すると、操作部６５は第１最下位置となり、それ以上下降しないようになっている。この制止の方法は、第３の規制部６７５の図中左端部にストッパを設け、カム部６７１の移動を制止させることで操作部６５の下降を制止させてもいいし、操作部６５の一部（例えば下面）がキャップ部６６の一部に当接してそれ以上下降しないようにするなどいずれの方法を用いてもよい。本実施形態では、第５の規制部６７８の右端部がストッパの役割を果たしている。
【００７８】
図１４（ａ）に示すように、第４の規制部６７６は、操作部６５に設けられ、図中右上がりの傾斜面であり、操作部６５を第１最下位置まで押下した後開放したときに、上面がカム部６７１に当接し、カム部６７１をさらに保持部６７２に近づける第２の方向（図中左方向）に移動させる。
【００７９】
図１４（ｂ）に示すように、制止部６７７は、第４の規制部６７６の端部に設けられてカム部６７１の移動を制止させるとともに、第４の規制部６７６と一緒になって保持部６７２を形成する。
保持部６７２は、カム部６７１が収まった時にカム部６７１に下側から当接して操作部６５の上昇を規制し、取出口６５２がキャップ６６の中に保持されるようにする。
保持部６７２は、基準位置の上方に位置するが、真上である必要はない。むしろ、若干第２の方向（図中左方向）にずれているほうが望ましい。本実施形態でもそのようになっている。
【００８０】
図１５（ａ）に示すように、第５の規制部６７８は、操作部６５に設けられ、図中左上がりの傾斜面であり、操作部６５を再度押下したときに、下面がカム部６７１に当接し、カム部６７１を保持部６７２から遠ざける第２の方向（図中左方向）に移動させる。
図１５（ｂ）に示すように、カム部６７１が、第５の規制部６７８の図中左端部まで移動すると、操作部６５は第２最下位置となり、それ以上下降しないようになっている。この制止の方法は、第５の規制部６７８の図中左端部にストッパを設け、カム部６７１の移動を制止させることで操作部６５の下降を制止させてもいいし、操作部６５の一部（例えば下面）がキャップ部６６の一部に当接してそれ以上下降しないようにするなどいずれの方法を用いてもよい。本実施形態では、ストッパ６７８ａを用いている。
【００８１】
図１６（ａ）に示すように、その後、操作部６５を開放すると、カム部６７１は、制止部６７７の上端部に当接して第２の方向（図中左方向）に移動する。そして、図１６（ｂ）に示すように、第１の規制部６７３の上面に当接して第１の方向に移動し、基準位置に戻る。なお、本実施形態では、カム部６７１が、制止部６７７の上端部に当接して第２の方向（図中左方向）に移動するが、これは本発明に必須のものではない。
【００８２】
本実施形態では、第１〜第５の規制部６７３〜６７６及び制止部６７７は、直線的であるが、湾曲していてもよく、一体成型されたものでもよい。その一例を図１７に示す。また、本実施形態では、カム部６７１が保持部６７２の周りを左回りに移動するような構成であるが、右回りに移動するような本実施形態と左右対称の構成にしてもよい。
【００８３】
以上、実施形態に基づき本発明について説明してきたが、上記した発明の実施の形態は、本発明の理解を容易にするためのものであり、本発明を限定するものではない。
【００８４】
例えば、図１０に示す容器蓋１Ａは、第１の実施形態である容器蓋１の変形例であるが、押下部１５４の下面から延設する円筒状のリブ１５５が形成されていると共に、カム筒１７１側面の外側にリブ１５５が入りこむ隙間を空けてさらに筒壁１７４が形成されている。このような構成とすると、取出し口１５２から吐出した粉状の内容物が容器蓋１Ａの内部に落ち込んでしまった場合でも、オルタネイト動作機構１７に係るカム筒１７１や回転子１７２にまで到達する可能性が減り、機構の動作を妨げるのを防止することができる。
【００８５】
すなわち、本発明は、その趣旨並びに特許請求の範囲を逸脱することなく、変更、改良され得ると共に、本発明にはその等価物が含まれる。
【符号の説明】
【００８６】
１…容器蓋（第１の実施形態）
１Ａ…容器蓋（第１の実施形態の変形例）
２…容器蓋（第２の実施形態）
３…容器蓋（第３の実施形態）
４…容器蓋（第４の実施形態）
５…容器蓋（第５の実施形態）
６…容器蓋（第６の実施形態）
１２…容器    １２１…開口首部    １２２…内側フランジ
１３…閉塞部
１４…取出し管
１５…操作部    １５１…摺動部    １５２…取出口    １５３…開口部
１６…キャップ
１７…オルタネイト動作機構
１８…閉鎖手段    １８１…閉鎖部材    １８２…付勢手段
２３…閉塞部    ２３ａ…鍔
３３…閉塞部
４４…取出し管
５４…取出し管
５９０…貯留室    ５９１…仕切り壁    ５９２…連通孔
６５…操作部    ６５１…摺動部    ６５２…取出口    ６５３…開口部
６６…キャップ
６７…オルタネイト動作機構
６７１…カム部    ６７２…保持部    ６７３…第１の規制部  
６７４…第２の規制部    ６７５…第３の規制部    ６７６…第４の規制部
６７７…制止部    ６７８第５の規制部
【図１】
2018058649.tif 000003
【図２】
2018058649.tif 000004
【図３】
2018058649.tif 000005
【図４】
2018058649.tif 000006
【図５】
2018058649.tif 000007
【図６】
2018058649.tif 000008
【図７】
2018058649.tif 000009
【図８】
2018058649.tif 000010
【図９】
2018058649.tif 000011
【図１０】
2018058649.tif 000012
【図１１】
2018058649.tif 000013
【図１２】
2018058649.tif 000014
【図１３】
2018058649.tif 000015
【図１４】
2018058649.tif 000016
【図１５】
2018058649.tif 000017
【図１６】
2018058649.tif 000018
【図１７】
2018058649.tif 000019